(57)【要約】【課題】  容易に光源を交換する。【解決手段】  インクジェット記録装置１は、記録媒体Ｋに向かって紫外線硬化性のインクを吐出する記録ヘッド７ａ〜７ｄと、記録媒体Ｋの表面に着弾したインクに光を照射する照射装置８と、照射装置８を支持するヒンジ部８ｄとを備え、ヒンジ部８ｄは、記録媒体Ｋの表面と平行な直線を回転軸として照射装置８を回転可能に支持する。【選択図】図２
2006137126.tif 000002
【特許請求の範囲】
【請求項１】
記録媒体に向かって光硬化性のインクを吐出する記録ヘッドと、
記録媒体の表面に着弾したインクに光を照射する照射装置と、
前記照射装置を支持する支持部材とを備え、
前記支持部材は、記録媒体の表面と平行な直線を回転軸として前記照射装置を回転可能に支持することを特徴とするインクジェット記録装置。
【請求項２】
請求項１記載のインクジェット記録装置において、
前記支持部材は、前記照射装置の長手方向と平行な直線を回転軸として当該照射装置を回転可能に支持することを特徴とするインクジェット記録装置。
【請求項３】
請求項１または２記載のインクジェット記録装置において、
記録媒体を搬送する搬送装置と、
記録媒体のジャムを検知するジャム検知装置と、
前記支持部材は、前記照射装置を回転方向に付勢する付勢部材と、
前記照射装置を記録媒体に対向させて固定する固定部材とを備え、
前記固定部材は、前記ジャム検知装置によってジャムが検知されると前記照射装置を解放することを特徴とするインクジェット記録装置。
【請求項４】
請求項１〜３の何れか一項に記載のインクジェット記録装置において、
前記照射装置を所定角度だけ回転した状態で保持する保持部材を備えることを特徴とするインクジェット記録装置。
【請求項５】
請求項１〜４の何れか一項に記載のインクジェット記録装置において、
前記照射装置を制御する第１制御装置を備え、
この第１制御装置は、前記照射装置が記録媒体に対向する状態から回転するときに、当該照射装置を消灯させることを特徴とするインクジェット記録装置。
【請求項６】
請求項１〜５の何れか一項に記載のインクジェット記録装置において、
前記記録ヘッド及び前記照射装置を支持するとともに、記録媒体上で走査するキャリッジと、
前記キャリッジの駆動装置を制御する第２制御装置とを備え、
この第２制御装置は、前記照射装置が記録媒体に対向する状態から回転するときに、前記駆動装置への通電を遮断することを特徴とするインクジェット記録装置。
【請求項７】
請求項１〜６の何れか一項に記載のインクジェット記録装置において、
前記記録ヘッドは、前記照射装置と一体的に回転可能であることを特徴とするインクジェット記録装置。
【請求項８】
請求項７記載のインクジェット記録装置において、
前記支持部材は、前記記録ヘッド及び前記照射装置を支持するとともに、記録媒体上で走査するキャリッジであることを特徴とするインクジェット記録装置。
【請求項９】
請求項７または８記載のインクジェット記録装置において、
前記記録ヘッドを制御する第３制御装置を備え、
この第３制御装置は、前記記録ヘッドが記録媒体に対向する状態から回転するときに、インクの吐出を停止させることを特徴とするインクジェット記録装置。
【請求項１０】
請求項１〜９の何れか一項に記載のインクジェット記録装置において、
前記照射装置は、光源として高圧水銀ランプ、低圧水銀ランプ、メタルハライドランプ、ブラックライト、熱陰極管、冷陰極管、ＬＥＤ、無電極ランプ及びエキシマランプのうち、少なくとも１つを有することを特徴とするインクジェット記録装置。
【請求項１１】
請求項１〜１０何れか一項に記載のインクジェット記録装置において、
前記記録ヘッドは、２５℃での粘度が１０〜５０［ｍＰａ・ｓ］、表面張力が２０〜４０［ｍＮ／ｍ］のインクを吐出することを特徴とするインクジェット記録装置。
【請求項１２】
請求項１〜１１の何れか一項に記載のインクジェット記録装置において、
前記記録ヘッドは、紫外線硬化性化合物を含むインクを吐出することを特徴とするインクジェット記録装置。
【発明の詳細な説明】
【技術分野】
【０００１】
本発明は、記録媒体に画像を記録するインクジェット記録装置に関する。
【背景技術】
【０００２】
従来、インク吸収性の乏しい記録媒体に対しても画像を記録する装置として、光硬化インクジェット方式のインクジェット記録装置が用いられている。光硬化インクジェット方式のインクジェット記録装置とは、記録媒体の上方に記録ヘッドと照射装置とを備え、光硬化性のインクを記録ヘッドから吐出して記録媒体の表面に着弾させた後、照射装置から光を照射して記録媒体の表面にインクを定着させるものである。
【０００３】
近年、このようなインクジェット記録装置として、照射装置をレール上に配設して記録媒体上から退避可能としたものがある（例えば、特許文献１参照）。このインクジェット記録装置によれば、記録媒体にジャム（搬送異常）が生じた場合にも、記録媒体が過剰な光を受けて発熱したり変形したりするのを防止することができる。
【０００４】
ところで、照射装置は記録媒体に近接して設けられているため、照射装置の光源が消耗した場合には、照射装置をその支持部材から取り外す等してから光源を交換している。
【特許文献１】特開２００４−１１４５８０号公報
【発明の開示】
【発明が解決しようとする課題】
【０００５】
しかしながら、支持部材から照射装置を取り外した後に光源を交換する場合には、出力画像の画質を維持したり記録媒体のジャムを防止したりする観点から、再び照射装置を取り付ける際に照射装置と記録媒体との距離を精度良く再現する必要があるため、手間がかかる。
【０００６】
また、上記特許文献１と同様にして照射装置を記録媒体上から退避させた後に光源を交換することも考えられるが、退避後も照射装置は下方を向いたままであるので、交換時の作業性が良くない。また、照射装置の退避領域を確保する観点から、インクジェット記録装置の載置スペースを大きくとる必要が生じてしまう。
【０００７】
本発明の課題は、容易に光源を交換することができるインクジェット記録装置を提供することである。
【課題を解決するための手段】
【０００８】
請求項１記載の発明は、インクジェット記録装置において、
記録媒体に向かって光硬化性のインクを吐出する記録ヘッドと、
記録媒体の表面に着弾したインクに光を照射する照射装置と、
前記照射装置を支持する支持部材とを備え、
前記支持部材は、記録媒体の表面と平行な直線を回転軸として前記照射装置を回転可能に支持することを特徴とする。
【０００９】
請求項１記載の発明によれば、記録媒体の表面と平行な直線を回転軸として回転可能に支持されているので、照射装置を回転させて側方や上方に向けることにより、照射装置の下面と記録媒体との間隔を広げて作業領域を確保し、光源を交換可能な状態とすることができる。従って、照射装置を着脱せずに、側方や上方に向けた状態で光源を交換することができるため、従来と比較して容易に光源を交換することができる。
また、照射装置を記録媒体上から退避させる場合と異なり、照射装置の退避領域を確保する必要がないため、その分だけインクジェット記録装置の載置スペースを小さくすることができる。
【００１０】
請求項２記載の発明は、請求項１記載のインクジェット記録装置において、
前記支持部材は、前記照射装置の長手方向と平行な直線を回転軸として当該照射装置を回転可能に支持することを特徴とする。
【００１１】
請求項２記載の発明によれば、照射装置は長手方向と平行な直線を回転軸として回転するので、短手方向と平行な直線を回転軸として回転する場合と比較して、回転の際に照射装置の外周側の通過距離が小さくなる。従って、照射装置を回転させるために必要な作業領域を小さくすることができる。
【００１２】
請求項３記載の発明は、請求項１または２記載のインクジェット記録装置において、
記録媒体を搬送する搬送装置と、
記録媒体のジャムを検知するジャム検知装置と、
前記支持部材は、前記照射装置を回転方向に付勢する付勢部材と、
前記照射装置を記録媒体に対向させて固定する固定部材とを備え、
前記固定部材は、前記ジャム検知装置によってジャムが検知されると前記照射装置を解放することを特徴とする。
【００１３】
請求項３記載の発明によれば、記録媒体のジャムが検知されると固定部材が照射装置を解放するので、照射装置は付勢部材によって回転し、照射装置の下面と記録媒体との間隔が広がる。従って、記録媒体の一部の領域が照射装置によって加熱されてしまい、発火や記録媒体の変形が生じるのを防止することができる。
【００１４】
請求項４記載の発明は、請求項１〜３の何れか一項に記載のインクジェット記録装置において、
前記照射装置を所定角度だけ回転した状態で保持する保持部材を備えることを特徴とする。
【００１５】
請求項４記載の発明によれば、照射装置が所定角度だけ回転した状態で保持されるので、照射装置が回転可能な状態のままである場合と比較して、より容易に光源の交換を行うことができる。
【００１６】
請求項５記載の発明は、請求項１〜４の何れか一項に記載のインクジェット記録装置において、
前記照射装置を制御する第１制御装置を備え、
この第１制御装置は、前記照射装置が記録媒体に対向する状態から回転するときに、当該照射装置を消灯させることを特徴とする。
【００１７】
請求項５記載の発明によれば、照射装置が記録媒体に対向する状態から回転するときに消灯するので、作業者が紫外線などの照射光を浴びるのを防止することができるとともに、電力の無駄を低減することができる。
【００１８】
請求項６記載の発明は、請求項１〜５の何れか一項に記載のインクジェット記録装置において、
前記記録ヘッド及び前記照射装置を支持するとともに、記録媒体上で走査するキャリッジと、
前記キャリッジの駆動装置を制御する第２制御装置とを備え、
この第２制御装置は、前記照射装置が記録媒体に対向する状態から回転するときに、前記駆動装置への通電を遮断することを特徴とする。
【００１９】
ここで、キャリッジの駆動装置への通電が遮断される場合には、キャリッジの位置を制御する制御機構が作動しなくなるため、キャリッジを自由に移動させることが可能となる。
【００２０】
請求項６記載の発明によれば、照射装置が記録媒体に対向する状態から回転するときに、キャリッジの駆動装置への通電が遮断されるので、キャリッジを走査方向に移動させ、作業性の良い位置に配置することができる。従って、光源の交換をより容易に行うことができる。
【００２１】
請求項７記載の発明は、請求項１〜６の何れか一項に記載のインクジェット記録装置において、
前記記録ヘッドは、前記照射装置と一体的に回転可能であることを特徴とする。
【００２２】
請求項７記載の発明によれば、記録ヘッドは照射装置と一体的に回転可能であるので、光源の交換とともに記録ヘッドのメンテナンスを行うことができる。
【００２３】
請求項８記載の発明は、請求項７記載のインクジェット記録装置において、
前記支持部材は、前記記録ヘッド及び前記照射装置を支持するとともに、記録媒体上で走査するキャリッジであることを特徴とする。
【００２４】
請求項８記載の発明によれば、請求項７記載の発明と同様の効果を得ることができる。
【００２５】
請求項９記載の発明は、請求項７または８記載のインクジェット記録装置において、
前記記録ヘッドを制御する第３制御装置を備え、
この第３制御装置は、前記記録ヘッドが記録媒体に対向する状態から回転するときに、インクの吐出を停止させることを特徴とする。
【００２６】
請求項９記載の発明によれば、記録ヘッドが記録媒体に対向する状態から回転するときにインクの吐出が停止するので、インクの飛散による汚れを防止することができるとともに、インクや電力の無駄を低減することができる。
【００２７】
請求項１０記載の発明は、請求項１〜９の何れか一項に記載のインクジェット記録装置において、
前記照射装置は、光源として高圧水銀ランプ、低圧水銀ランプ、メタルハライドランプ、ブラックライト、熱陰極管、冷陰極管、ＬＥＤ、無電極ランプ及びエキシマランプのうち、少なくとも１つを有することを特徴とする。
【００２８】
請求項１０記載の発明によれば、請求項１〜９の何れか一項に記載の発明と同様の効果を得ることができる。
【００２９】
請求項１１記載の発明は、請求項１〜１０何れか一項に記載のインクジェット記録装置において、
前記記録ヘッドは、２５℃での粘度が１０〜５０［ｍＰａ・ｓ］、表面張力が２０〜４０［ｍＮ／ｍ］のインクを吐出することを特徴とする。
【００３０】
請求項１１記載の発明によれば、請求項１〜１０の何れか一項に記載の発明と同様の効果を得ることができる。
【００３１】
請求項１２記載の発明は、請求項１〜１１の何れか一項に記載のインクジェット記録装置において、
前記記録ヘッドは、紫外線硬化性化合物を含むインクを吐出することを特徴とする。
【００３２】
請求項１２記載の発明によれば、請求項１〜１１の何れか一項に記載の発明と同様の効果を得ることができる。
【発明の効果】
【００３３】
請求項１記載の発明によれば、照射装置を着脱せずに、側方や上方に向けた状態で光源を交換することができるため、従来と比較して容易に光源を交換することができる。
【００３４】
請求項２記載の発明によれば、請求項１記載の発明による効果を得ることができるのは勿論のこと、照射装置を回転させるための作業領域を小さくすることができる。
【００３５】
請求項３記載の発明によれば、請求項１または２記載の発明による効果を得ることができるのは勿論のこと、記録媒体の一部の領域が照射装置によって加熱されてしまい、発火や記録媒体の変形が生じるのを防止することができる。
【００３６】
請求項４記載の発明によれば、請求項１〜３の何れか一項に記載の発明による効果を得ることができるのは勿論のこと、より容易に光源の交換を行うことができる。
【００３７】
請求項５記載の発明によれば、請求項１〜４の何れか一項に記載の発明による効果を得ることができるのは勿論のこと、作業者が紫外線などの照射光を浴びるのを防止することができるとともに、電力の無駄を低減することができる。
【００３８】
請求項６記載の発明によれば、請求項１〜５の何れか一項に記載の発明による効果を得ることができるのは勿論のこと、光源の交換をより容易に行うことができる。
【００３９】
請求項７記載の発明によれば、請求項１〜６の何れか一項に記載の発明による効果を得ることができるのは勿論のこと、光源の交換とともに記録ヘッドのメンテナンスを行うことができる。
請求項８記載の発明によれば、請求項７記載の発明と同様の効果を得ることができる。
【００４０】
請求項９記載の発明によれば、請求項７または８記載の発明による効果を得ることができるのは勿論のこと、インクの飛散による汚れを防止することができるとともに、インクや電力の無駄を低減することができる。
【００４１】
請求項１０記載の発明によれば、請求項１〜９の何れか一項に記載の発明と同様の効果を得ることができる。
請求項１１記載の発明によれば、請求項１〜１０の何れか一項に記載の発明と同様の効果を得ることができる。
請求項１２記載の発明によれば、請求項１〜１１の何れか一項に記載の発明と同様の効果を得ることができる。
【発明を実施するための最良の形態】
【００４２】
以下、本発明の実施の形態について、図面を参照して説明する。なお、本実施の形態においては、インクジェット記録装置１をシリアルヘッド型の装置であることとして説明する。
【００４３】
図１は、本発明に係るインクジェット記録装置１の概略構成を示す平面図である。この図に示す通り、インクジェット記録装置１は、本発明における搬送装置としてローラ２，２を備えている。
【００４４】
ローラ２，２は、ローラ駆動モータ２ａ（図３参照）によって間欠的に回転することにより、記録媒体Ｋを搬送方向Ｘに搬送するようになっている。ローラ２，２の間には、プラテン３が配設されており、ローラ２，２の間で搬送される記録媒体Ｋを裏面側から支持している。
【００４５】
プラテン３の上方には、搬送方向Ｘと略直交する方向、つまり走査方向Ｙに延在するガイド部材４が配設されており、ガイド部材４にはキャリッジ５が支持されている。
【００４６】
キャリッジ５はキャリッジ駆動装置５ａ（図３参照）の駆動により記録媒体Ｋの上を走査方向Ｙに往復移動可能となっており、この移動はガイド部材４によりガイドされるようになっている。キャリッジ５には、４つの記録ヘッド７ａ〜７ｄが搭載されている。
【００４７】
記録ヘッド７ａ〜７ｄは、キャリッジ５が走査方向Ｙに移動する際に、下面のノズルから記録媒体Ｋに向かって紫外線硬化型のインクを吐出するものであり、走査方向Ｙに配列されている。なお、本実施の形態においては、記録ヘッド７ａ〜７ｄはイエロー（Ｙ），マゼンタ（Ｍ），シアン（Ｃ），ブラック（Ｋ）の各プロセスカラーのインクを吐出するようになっている。
【００４８】
また、キャリッジ５の両側部には、照射装置８，８が配設されている。
照射装置８，８は、図２（ａ）に示すように、下方の記録媒体Ｋに向かって紫外線を照射する光源８ａ，…を内部に備えている。光源８ａとしては、高圧水銀ランプ、低圧水銀ランプ、メタルハライドランプ、ブラックライト、熱陰極管、冷陰極管、ＬＥＤ、無電極ランプ及びエキシマランプ等のうち、少なくとも１つが用いられている。なお、図２では、２つの照射装置８，８のうち、一方のみを図示している。
【００４９】
また、照射装置８，８は、キャリッジ５の側に突出した係合部８ｂを側部に備えている。係合部８ｂの先端には、搬送方向Ｘに延在するロックピン８ｃが設けられている。
【００５０】
この照射装置８は、本発明における支持部材としてのヒンジ部８ｄを介してキャリッジ５に接続され、図２（ｂ）に示すように、照射装置８の長手方向、つまり搬送方向Ｘに平行な直線を回転軸として回転方向Ｚに回転可能となっている。ヒンジ部８ｄは、搬送方向Ｘに延在した状態で照射装置８の上面とキャリッジ５側の側面との交線上に設けられている。このヒンジ部８ｄには、図示しないストッパーが設けられており、照射装置８を所定の角度、本実施の形態においては約４０度以上に回転させないようになっている。なお、ヒンジ部８ｄとしてロータリーダンパー等を用いることにより、照射装置８の回転速度を調整することとしても良い。
【００５１】
また、照射装置８は、上面においてキャリッジ５の上部と引張ばね８ｅで連結されている。引張ばね８ｅは、本発明における付勢部材であり、照射装置８を回転方向Ｚに付勢している。また、この引張ばね８ｅはヒンジ部８ｄの前記ストッパーと協働し、本発明における保持部材として機能するようになっており、照射装置８を記録媒体Ｋへの対向位置（以下、定常位置とする。図２（ａ）参照）から所定の角度だけ回転した位置（以下、メンテナンス位置とする。図２（ｂ）参照）で保持するようになっている。
【００５２】
照射装置８，８とキャリッジ５との間には、本発明におけるジャム検知装置としてのジャム検知板６が配設されている。
【００５３】
ジャム検知板６は、リベット６ａを介してキャリッジ５に連結された略平板状の部材である。このジャム検知板６は、図２（ｂ）に示すように、記録媒体Ｋにジャムが発生した状態でキャリッジ５が走査すると、先端部６ｂで記録媒体Ｋと当接し、リベット６ａを回転軸として回転方向Ｗに回転するようになっている。なお、リベット６ａは、図示しない連結部材によってキャリッジ５の側面に固定されている。
【００５４】
また、ジャム検知板６は、先端部６ｂと反対の側にフック部６ｃを備えている。このフック部６ｃは本発明における固定部材であり、前記ロックピン８ｃと係合することにより、照射装置８を前記定常位置に固定している。
【００５５】
ジャム検知板６には、マイクロスイッチ６ｄ（図３参照）が設けられており、フック部６ｃがロックピン８ｃを開放したときに電気信号を生じるようになっている。
【００５６】
以上のローラ駆動モータ２ａ、キャリッジ駆動装置５ａ、記録ヘッド７ａ〜７ｄ、照射装置８，８及びマイクロスイッチ６ｄには、図３に示すように、制御装置９が接続されている。
【００５７】
制御装置９は、本発明における第１〜第３制御装置であり、図示しないＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＣＰＵ（Ｃｅｎｔｒａｌ  Ｐｒｏｃｅｓｓｉｎｇ  Ｕｎｉｔ）を備えている。ここで、前記ＲＯＭには、インクジェット記録装置１の各部の動作に関する各種制御プログラムが格納されている。また、前記ＲＡＭには、前記ＣＰＵによる作業領域が備えられている。前記ＣＰＵは、ＲＯＭに格納されている各種プログラムの中から指定されたプログラムをＲＡＭ内の作業領域に展開し、ローラ駆動モータ２ａ、キャリッジ駆動装置５ａ、記録ヘッド７ａ〜７ｄ及び照射装置８，８の動作を制御するようになっている。
【００５８】
次に、本実施形態に用いられる「インク」について説明する。
本実施形態に用いられるインクとしては、特に「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００５９】
具体的に、本実施形態に用いられるインクは、光としての紫外線の被照射により硬化する性質を具備する紫外線硬化型インクであり、本発明における紫外線硬化性化合物としての重合性化合物（公知の重合性化合物を含む。）と、光開始剤と、色材とを主成分として少なくとも含むものである。ただし、本実施形態に用いるインクとして、上記「光誘導型交互共重合（第２節）」に適合するインクを用いる場合には、光開始剤は除外されてもよい。
【００６０】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。しかしながら、酸素による重合反応の阻害が少ない又は無いカチオン重合系インクのほうが機能性・汎用性に優れるため、本実施形態では、特に、カチオン重合系インクを用いている。
【００６１】
なお、本実施形態に用いられるカチオン重合系インクは、具体的に、オキセタン化合物，エポキシ化合物，ビニルエーテル化合物等のカチオン重合性化合物と、光カチオン開始剤と、色材とを少なくとも含む混合物であり、上記の通り、紫外線の照射により硬化する性質を具備するものである。
【００６２】
このインクの２５℃での粘度は１０〜５０［ｍＰａ・ｓ］、表面張力は２０〜４０［ｍＮ／ｍ］となっている。
【００６３】
次に、本実施形態に用いられる「記録媒体Ｋ」について説明する。
本実施形態に用いられる記録媒体Ｋとしては、通常のインクジェット記録装置に適用される普通紙，再生紙，光沢紙等の各種紙，各種布地，各種不織布，樹脂，金属，ガラス等の材質からなる記録媒体が適用可能である。記録媒体Ｋの形態としては、ロール状、カットシート状、板状等が適用可能である。本実施形態では、記録媒体Ｋとして、ロール状に巻かれた長尺な樹脂製フィルムを用いている。
【００６４】
特に、本実施形態で用いられる記録媒体Ｋとして、いわゆる軟包装に用いられる透明又は不透明な非吸収性の樹脂製フィルムが適用できる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ(メタ)アクリル酸エステル、ポリエチレン、ポリプロピレン、ナイロン等が適用可能であり、さらには、これら樹脂の共重合体、これら樹脂の混合物、これら樹脂を架橋したもの等も適用可能である。中でも、樹脂製フィルムの樹脂の種類として、延伸したポリエチレンテレフタレート，ポリスチレン，ポリプロピレン，ナイロンのいずれかを選択するのが、樹脂製フィルムの透明性・寸法安定性・剛性・環境負荷・コスト等の面で好ましく、２〜１００μｍ（好ましくは６〜５０μｍ）の厚みを有する樹脂製フィルムを用いるのが好ましい。また、樹脂製フィルムの支持体の表面にコロナ放電処理、易接着処理等の表面処理を施してもよい。
【００６５】
さらに、本実施形態に用いられる記録媒体Ｋとして、樹脂により表面を被覆した各種紙，顔料を含むフィルム，発泡フィルム等の不透明な公知の記録媒体も適用可能である。
【００６６】
続いて、画像記録時におけるインクジェット記録装置１の動作について説明する。
まず、ローラ２，２による記録媒体Ｋの搬送を停止させた状態で、キャリッジ５が記録媒体Ｋの直上を走査方向Ｙの一方の側に走査する。これにより記録ヘッド７ａ〜７ｄ及び照射装置８，８がキャリッジ５に追従して走査し、この走査の際に画像を記録する。具体的には、まず各記録ヘッド７ａ〜７ｄがインクを吐出し、記録ヘッド７ａ〜７ｄよりも後ろ側、つまり他方の側の照射装置８が記録媒体の表面のインクに対し紫外線を照射する。これにより、各記録ヘッド７ａ〜７ｄから吐出されたインクは記録媒体Ｋに着弾した後に紫外線によって即座に硬化し、記録媒体Ｋの表面に定着する。
次に、ローラ２，２が記録媒体Ｋを搬送方向Ｘに沿って搬送する。
【００６７】
次に、ローラ２，２による記録媒体Ｋの搬送を停止させた状態で、キャリッジ５が記録媒体Ｋの直上を走査方向に走査し、この走査の際に、記録ヘッド７ａ〜７ｄ及び照射装置８，８が画像を記録する。
次に、ローラ２，２が記録媒体Ｋを搬送方向Ｘに沿って搬送する。
【００６８】
以降、インクジェット記録装置１が上記の各動作を繰り返し、各プロセスカラーの複数のドットからなる所望の画像が記録媒体Ｋの表面に順次記録される。
【００６９】
続いて、記録媒体Ｋのジャム発生時におけるインクジェット記録装置１の動作について説明する。
【００７０】
まず、図２（ａ），（ｂ）に示すように，記録媒体Ｋにジャムが発生すると、ジャム検知板６の先端部６ｂが記録媒体Ｋに当接する。この状態でキャリッジ５が走査すると、ジャム検知板６がリベット６ａを中心として回転方向Ｗに回転する結果、フック部６ｃがロックピン８ｃを解放する。
【００７１】
ロックピン８ｃが解放されると、引張ばね８ｅが収縮することにより、照射装置８が回転方向Ｚに回転する。これにより、照射装置８の下面と記録媒体Ｋとの間隔が広がり、光源８ａを交換するための作業領域が確保される。そして、ヒンジ部８ｄの前記ストッパーが照射装置８を前記メンテナンス位置で止めるため、照射装置８は側方に向いた状態で保持される。ここで、照射装置８は長手方向と平行なヒンジ部８ｄを中心として回転するので、短手方向と平行な回転軸を中心として回転する場合と比較して、回転の際に照射装置８の外周側の通過距離が小さくなる結果、照射装置８を回転させるために必要な作業領域が小さくなる。
【００７２】
また、ロックピン８ｃが解放されると、マイクロスイッチ６ｄが電気信号を生じ、この電気信号を検出した制御装置９は、照射装置８を消灯し、記録ヘッド７ａ〜７ｄにインクの吐出を停止させ、かつ、キャリッジ駆動装置５ａへの通電を遮断する。このように、照射装置８が前記定常位置から回転するときに消灯するので、作業者が紫外線を浴びてしまうのが防止されるとともに、電力の無駄が低減される。また、インクの吐出が停止するので、インクの飛散による汚れが防止されるとともに、インクや電力の無駄が低減される。更に、キャリッジ駆動装置５ａへの通電が遮断されるので、キャリッジ５を走査方向Ｙに移動させることが可能となる。なお、このとき制御装置９はローラ駆動モータ２ａを停止させることとしても良い。
【００７３】
以上のインクジェット記録装置１によれば、照射装置８を着脱せずに、側方や上方に向けた状態で光源８ａを交換することができるため、従来と比較して容易に光源８ａを交換することができる。
【００７４】
また、照射装置８が所定角度だけ回転した状態で保持されるので、照射装置８が回転可能な状態のままである場合と比較して、より容易に光源８ａの交換を行うことができる。
【００７５】
また、照射装置８が前記定常位置から回転する場合には、キャリッジ５を走査方向Ｙに移動させ、作業性の良い位置に配置することできるため、より容易に光源８ａの交換を行うことができる。
【００７６】
また、記録媒体Ｋにジャムが生じた場合に、照射装置８の下面と記録媒体Ｋとの間隔を広げることができるため、記録媒体Ｋの一部の領域が照射装置８によって加熱されてしまい、発火や記録媒体Ｋの変形が生じるのを防止することができる。
【００７７】
また、照射装置８を記録媒体Ｋの上方から退避させる場合と異なり、照射装置８の退避領域を確保する必要がないため、その分だけインクジェット記録装置１の載置スペースを小さくすることができる。
【００７８】
なお、上記の実施の形態においては、ヒンジ部８ｄは照射装置８の長手方向に平行であることとして説明したが、記録媒体Ｋの表面に平行であれば、例えば照射装置８の短手方向に平行であることとしても良い。
【００７９】
また、ヒンジ部８ｄの前記ストッパーは、照射装置８を約４０度以上回転させないようにすることとして説明したが、この角度は４０度より小さくても良いし、大きくても良い。
【００８０】
また、引張ばね８ｅによって照射装置８を回転方向Ｚに付勢することとして説明したが、他の弾性部材、例えばガスダンパー等によって照射装置８を付勢することとしても良い。
【００８１】
また、本発明における支持部材をヒンジ部８ｄであることとして説明したが、図４に示すように、キャリッジ本体５２及びキャリッジベース５０をヒンジ部５１によって連結したキャリッジ５Ａであることとしても良い。この場合には、ヒンジ部５１を中心として記録ヘッド７ａ〜７ｄと照射装置８とを一体的に回転させることができるため、光源８ａの交換とともに記録ヘッド７ａ〜７ｄのメンテナンスを行うことができる。
【００８２】
更に、インクジェット記録装置１をシリアルヘッド型であることとして説明したが、ラインヘッド型であることとしても良い。
【図面の簡単な説明】
【００８３】
【図１】本発明に係るインクジェット記録装置の概略構成を示す平面図である。
【図２】ジャム発生時におけるインクジェット記録装置の動作を説明するための図である。
【図３】本発明に係るインクジェット記録装置の概略構成を示すブロック図である。
【図４】本発明に係るインクジェット記録装置の変形例を示す図である。
【符号の説明】
【００８４】
１          インクジェット記録装置
５          キャリッジ
５Ａ        キャリッジ（支持部材）
５ａ        キャリッジ駆動装置
６          ジャム検知板（ジャム検出装置）
６ｃ        フック部（固定部材）
７ａ〜７ｄ  記録ヘッド
８          照射装置
８ａ        光源
８ｄ        ヒンジ部（支持部材）
８ｅ        引張ばね（付勢部材，保持部材）
９          制御装置（第１〜第３制御装置）
Ｋ          記録媒体
【図１】
2006137126.tif 000003
【図２】
2006137126.tif 000004
【図３】
2006137126.tif 000005
【図４】
2006137126.tif 000006